(57)【要約】【課題】燃料電池車両に水素を充填する間に車両の作動をオフすることにより、水素の充填時に車両の安全性を向上させる燃料電池車両の充填のための安全制御システム及び方法を提供する。【解決手段】本発明の燃料電池車両の充填のための安全制御システムは、燃料電池車両に設けられて水素タンクへの水素の充填時に操作する充填スイッチと、現在の車速を検出する車速検出部と、充填スイッチのオン／オフ操作による信号と車速検出部により検出される現在の車速の入力を受けて車両の作動制御を行う制御機と、を含み、制御機は充填スイッチのオン操作信号の入力状態で車速検出部により検出された現在の車速から車両が停車状態であると判断した場合、車両の作動をオフするように設定されたことを特徴とする。【選択図】図２
2014073067.tif 000002
【特許請求の範囲】
【請求項１】
燃料電池車両に設けられて水素タンクへの水素の充填時に操作する充填スイッチと、
現在の車速を検出する車速検出部と、
前記充填スイッチのオン／オフ操作による信号と前記車速検出部により検出される現在の車速の入力を受けて車両の作動制御を行う制御機と、
を含み、
前記制御機は前記充填スイッチのオン操作信号の入力状態で前記車速検出部により検出された現在の車速から車両が停車状態であると判断した場合、車両の作動をオフするように設定されたことを特徴とする燃料電池車両の充填のための安全制御システム。
【請求項２】
前記燃料電池車両に設けられて前記制御機と充填所側の制御機との間の通信が行われる通信手段をさらに含み、
前記燃料電池車両の制御機は、前記充填スイッチのオフ状態で前記車速検出部により検出された現在の車速から車両が停車状態であると判断した場合、前記通信手段により充填中断信号を充填所側の制御機に伝送するように設定されたことを特徴とする請求項１に記載の燃料電池車両の充填のための安全制御システム。
【請求項３】
前記燃料電池車両に設けられて水素タンクの圧力を検出するタンク圧力検出部をさらに含み、
前記燃料電池車両の制御機は充填中断信号を伝送した後に前記タンク圧力検出部により検出される水素タンクの圧力で所定の基準値を超える圧力変化が発生したと判断した場合、車両の作動をオフするように設定されたことを特徴とする請求項２に記載の燃料電池車両の充填のための安全制御システム。
【請求項４】
前記制御機は、車両の停車状態で車両の作動をオフした後に充填スイッチのオフ操作信号が入力された場合にだけ運転者の車両始動操作により車両の再始動が行われるようにし、充填スイッチのオン操作状態が維持される場合には車両の始動を禁止する設定がなされたことを特徴とする請求項１または３に記載の燃料電池車両の充填のための安全制御システム。
【請求項５】
燃料電池車両で水素タンクに水素を充填するために充填スイッチがオン操作される段階と、
制御機が前記充填スイッチのオン操作信号の入力を受け、車両の現在車速を検出する車速検出部の検出信号の入力を受けて現在車両が停車状態であると判断した場合、車両の作動をオフする段階と、
を含むことを特徴とする燃料電池車両の充填のための安全制御方法。
【請求項６】
前記制御機は、前記充填スイッチのオフ状態で前記車速検出部の検出信号から現在車両が停車状態であると判断した場合、車両内の通信手段により充填中断信号を充填所側の制御機に伝送するように設定されたことを特徴とする請求項５に記載の燃料電池車両の充填のための安全制御方法。
【請求項７】
前記制御機は、充填中断信号を伝送した後に水素タンクの圧力を検出するタンク圧力検出部の検出信号の入力を受けて水素タンクで所定の基準値を超える圧力変化が発生したと判断した場合、車両の作動をオフするように設定されることを特徴とする請求項６に記載の燃料電池車両の充填のための安全制御方法。
【請求項８】
前記制御機は、車両の停車状態で車両の作動をオフした後に充填スイッチのオフ操作信号の入力を受けた場合にだけ運転者の車両始動操作による車両再始動が行われるようにし、充填スイッチのオン操作状態が維持される場合には車両の始動を禁止する設定がなされたことを特徴とする請求項５または７に記載の燃料電池車両の充填のための安全制御方法。
【発明の詳細な説明】
【技術分野】
【０００１】
本発明は、燃料電池車両の充填のための安全制御システム及び方法に係り、より詳しくは、燃料電池車両に水素を充填する間に車両の作動をオフすることにより、水素の充填時に車両の安全性を向上できる燃料電池車両の充填のための安全制御システム及び方法に関する。
【背景技術】
【０００２】
周知の通り、内燃機関車両が、化石燃料と空気中の酸素の燃焼による爆発力から発生する内燃機関の回転動力を用いて走行することとは異なり、燃料電池車両は、燃料電池スタックで生成された電気エネルギーにより駆動される電気モータの回転動力を用いて走行する。
燃料電池車両の主動力源となる燃料電池スタックは、車両内の水素タンクまたは改質器を含む水素供給装置から供給される水素と、ブロワーまたは圧縮機などの空気供給装置から供給される空気中の酸素を電気化学反応により電気エネルギーを生成する。
したがって、燃料電池車両では、燃料の水素をより安全でコンパクト（ｃｏｍｐａｃｔ）に貯蔵することが重要であり、車両の走行距離の増大と安全性を両方とも満足する様々な水素貯蔵技術が開発されている。
【０００３】
これら技術のうち、水素を液体水素にして車両に貯蔵するか、吸蔵合金に吸蔵させる方法があるが、これは自然蒸発や吸蔵量などの側面で現在の技術では解決できない問題がある（特許文献１，２参照）。
現在、軽量及び高強度で、かつ高圧にも耐えられる水素タンクに水素を充填して使用することが一般的であり、乗車空間と十分な走行距離を確保するために、３５０ｂａｒや７００ｂａｒ仕様などの水素を高圧で充填できる水素タンクを広く使用している（特許文献３参照）。
一方、通常のガソリン車両やディーゼル車両は、燃料を注入する場合に車両のエンジン作動をオフするか、燃料の注入中に作動をオフするように法規により制限されているわけではない。安全上の理由で燃料の注入時に運転者がエンジン作動をオフするように勧めている。
【０００４】
しかし、燃料電池車両に対しては燃料の充填中に推進システムの作動、車両の移動などを制限する法規があり、ガソリン車両やディーゼル車両の作動制御ロジックを燃料電池車両にそのまま適用することはできない。
従来、燃料電池車両の作動を制御する場合、燃料の充填を感知する部分を備えていないため、燃料を充填する間にシステムにより車両の作動を制限することができない。法規制によって法規に抵触するため、早急なシステムの改善が必要である（特許文献４参照）。
上述のとおり、燃料電池車両はＥＣ７９／２００９やＥＣ４０６／２０１０などの関連法規を満足しなければならず、ＥＣ４０６／２０１０の９．５節の内容を基すると、燃料電池車両は燃料の充填を行っている間には推進システムの作動、さらに車両の移動は不可能であると規定している。
しかし、従来の燃料電池車両は水素充填が行われていることを感知するロジックが適用されておらず、このような法規に従うことが困難である。
【先行技術文献】
【特許文献】
【０００５】
【特許文献１】特開２０００−０８８１９６号公報
【特許文献２】特開２００１−２９１５２４号公報
【特許文献３】特開２００２−０８９７９３号公報
【特許文献３】特開２０１０−１７７１１１号公報
【発明の概要】
【発明が解決しようとする課題】
【０００６】
本発明は上記の問題を解決するためになされたものであって、その目的とするところは、燃料電池車両に水素を充填する間に車両の作動をオフすることにより、水素の充填時に車両の安全性を向上させる燃料電池車両の充填のための安全制御システム及び方法を提供することにある。
【課題を解決するための手段】
【０００７】
上記の目的を達成するためになされた本発明の燃料電池車両の充填のための安全制御システムは、燃料電池車両に設けられて水素タンクへの水素の充填時に操作する充填スイッチと、現在の車速を検出する車速検出部と、充填スイッチのオン／オフ操作による信号と車速検出部により検出される現在の車速の入力を受けて車両の作動制御を行う制御機と、を含み、制御機は充填スイッチのオン操作信号の入力状態で車速検出部により検出された現在の車速から車両が停車状態であると判断した場合、車両の作動をオフするように設定されたことを特徴とする。
【０００８】
本発明の好ましい実施例における燃料電池車両の充填のための安全制御システムは、燃料電池車両に設けられて制御機と充填所側の制御機との間の通信が行われるようにする通信手段をさらに含み、燃料電池車両の制御機は、充填スイッチのオフ状態で車速検出部により検出された現在の車速から車両が停車状態であると判断した場合、通信手段により充填中断信号を充填所側の制御機に伝送するように設定されたことを特徴とする。
また、燃料電池車両の充填のための安全制御システムは、燃料電池車両に設けられて水素タンクの圧力を検出するタンク圧力検出部をさらに含み、燃料電池車両の制御機は充填中断信号を伝送した後にタンク圧力検出部により検出される水素タンクの圧力で所定の基準値を超える圧力変化が発生したと判断した場合、車両の作動をオフするように設定されたことを特徴とする。
制御機は、車両の停車状態で車両の作動をオフした後に充填スイッチのオフ操作信号が入力された場合にだけ運転者の車両始動操作により車両の再始動が行われるようにし、充填スイッチのオン操作状態が維持される場合には車両の始動を禁止する設定がなされたことを特徴とする。
【０００９】
そして、本発明の燃料電池車両の充填のための安全制御方法は、燃料電池車両で水素タンクに水素を充填するために充填スイッチがオン操作される段階と、制御機が充填スイッチのオン操作信号の入力を受け、車両の現在車速を検出する車速検出部の検出信号の入力を受けて現在車両が停車状態であると判断した場合、車両の作動をオフする段階と、を含むことを特徴とする。
制御機は、充填スイッチのオフ状態で車速検出部の検出信号から現在車両が停車状態であると判断した場合、車両内の通信手段により充填中断信号を充填所側の制御機に伝送するように設定されたことを特徴とする。
【００１０】
また、制御機は、充填中断信号を伝送した後に水素タンクの圧力を検出するタンク圧力検出部の検出信号の入力を受けて水素タンクで所定の基準値を超える圧力変化が発生したと判断した場合、車両の作動をオフするように設定されたことを特徴とする。
また、制御機は、車両の停車状態で車両の作動をオフした後に充填スイッチのオフ操作信号の入力を受けた場合にだけ運転者の車両始動操作による車両再始動が行われるようにし、充填スイッチのオン操作状態が維持される場合には車両再始動を禁止する設定がなされたことを特徴とする。
【発明の効果】
【００１１】
本発明による燃料電池車両の充填のための安全制御システム及び方法によれば、燃料電池車両で水素の充填時に操作する充填スイッチを設け、充填スイッチのオン操作状態で車両が停車状態である場合、車両の作動を自動でオフするように構成されることで、水素の充填時に車両の安全性をさらに向上させることができる。
【図面の簡単な説明】
【００１２】
【図１】本発明による充填のための安全制御システムの構成を示すブロック図である。
【図２】本発明による充填のための安全制御方法を示すフローチャートである。
【発明を実施するための形態】
【００１３】
以下、図面に基づいて、本発明の実施例について詳細に説明する。
図１は、本発明による充填のための安全制御システムの構成を示すブロック図であり、図２は、本発明による充填のための安全制御方法を示すフローチャートである。
本発明による充填のための安全制御システムは、燃料電池車両への水素の充填時に運転者が操作する充填スイッチ１１を含む。
具体的には、燃料電池車両で燃料の水素を充填する場合、運転者が操作する充填スイッチ１１を車両室内の運転席の周辺に設置するが、これは車両室内でクラッシュパッド（ｃｒａｓｈ  ｐａｄ）などの運転者が容易に操作する位置に設置される。
【００１４】
本発明で充填スイッチ１１が設置される位置は、クラッシュパッドの他、運転者が容易に操作できる車両室内の位置、例えばクラスターやセンターファシア（ｃｅｎｔｅｒ  ｆａｓｃｉａ）、ドアの内側面、運転席と助手席との間のトレイ、またはコンソールボックスなどの運転席の周辺の位置にしてもよい。
充填スイッチ１１は、運転者が水素を充填するために操作しなければならないスイッチであるため、その位置を運転者が容易に操作できる車両室内の位置に設定される。
その他、充填スイッチ１１が水素の充填時に必ず操作しなければならないスイッチであることを考慮して、車両の室内でなく、車両の水素注入口の燃料ドア内側など、車両の室外に設置してもよく、この場合、運転者や水素の充填者（既存のガソリン車両やディーゼル車両の給油員に該当する燃料注入者）が必ず燃料ドアの開放状態で充填スイッチ１１を操作する。
【００１５】
以下、本明細書では、燃料の水素を充填するために充填スイッチを操作する場合は充填スイッチのオン（ｏｎ）状態であり、車両を走行して水素を充填する前に充填スイッチ１１を操作していない状態、またはオン状態を解除するために充填スイッチのオン操作を行った後にさらに操作が行われる状態を充填スイッチのオフ（ｏｆｆ）状態であると説明する。
また、充填スイッチ１１のオン／オフ操作状態は、車両の制御機２０がスイッチ操作信号の入力を受けることにより認知するが、この際、車両の制御機２０は、車両の作動制御を担当する制御機であって、後述するように充填スイッチ１１の操作状態に応じて車両の作動を制御する。
【００１６】
具体的には、制御機２０が充填スイッチ１１のオン／オフ操作状態に応じて、車両が水素充填中であるか、または水素充填中でないことを認知し、充填スイッチ１１のオン状態及び水素充填中状態は車両を作動オフ状態に制御する。
例えば、充填スイッチ１１のオン状態及び水素充填中状態では、車両の作動がオン状態である場合は車両の作動をオフにし、充填スイッチ１１のオフ操作時まで車両の作動をオフして車両の作動を禁止する。
反面、充填スイッチ１１のオフ状態では、制御機２０が別途の制御動作を行わないが、車両が移動中であれば（車速＞０の状態）充填スイッチ１１のオフ状態で正常な車両走行が行われる。
【００１７】
また、それと共に充填スイッチ１１のオフ状態で車両が停止している状態（車速＝０の状態）であれば、水素の充填が行われる可能性があると仮定し、充填操作が行われても水素が充填されないように通信手段２１を介して充填中断信号を充填所側に伝送する。
また、運転者が水素の充填時に充填スイッチ１１をオンしていない状態、すなわち充填スイッチ１１のオフ状態で充填中断信号を充填所側に伝送しても、水素の充填が行われていると判断した場合は制御機２０が自動で車両の作動をオフする。
本発明で水素を充填する間に制御機により車両の作動がオフされるということは、燃料電池システムのシャットダウン状態を含んで燃料電池車両でキーオフ操作時のような作動オフ状態を意味する。ただし、充填スイッチのオン状態及び水素の充填により車両の作動がオフされるとしても制御機への電源供給は維持される。
さらに、本明細書では制御機２０が車両側に設けられる１つの統合制御機であると説明しているが、本発明で車両側の制御機２０は燃料電池システムの制御機と水素貯蔵システムの制御機のように複数の制御機であってもよく、これらの制御機の協調制御により本発明の制御過程が行われる。
【００１８】
一方、本発明の充填のための安全制御システムは、燃料電池車両に設けられて現在の車速を検出する車速検出部１２及び水素タンクの圧力を検出するタンク圧力検出部１３と、燃料電池車両で車両側の制御機２０と充填所側の制御機３０との間の通信、特に後述するように車両側の制御機２０が出力する充填中断信号を充填所側の通信手段３１を介して充填所側の制御機３０に伝送するための車両側通信手段２１と、をさらに含む。
車速検出部１２は、通常の車両のように車輪の速度センサであってもよく、制御機２０は車輪の速度センサの信号値を受信し、現在の車速を計算して車両の作動を制御するための変数として使用する。
【００１９】
また、タンク圧力検出部１３は、通常の燃料電池車両で水素タンクに設置された圧力センサであってもよく、制御機２０がタンク圧力検出部１３の信号を受信して水素タンクの圧力状態に応じて車両の作動を制御する。
また、通信手段２１は、有線または無線の通信手段であってもよいが、これは通常の燃料電池車両で充填所側の制御機３０との通信のために設けられるＩＲ（Ｉｎｆｒａｒｅｄ）通信モジュールであってもよい。
【００２０】
本発明で制御機２０が、統合された１つの制御機の形態でなく、車両の作動を制御する燃料電池システムの制御機と、車両への水素の充填を制御する水素貯蔵システムの制御機に分けられる場合は、充填スイッチ１１のオン／オフ操作信号、車速検出部１２の信号は燃料電池システムの制御機に入力され、この際、燃料電池システムの制御機がこれら信号に基づいて車両の作動を制御する。
さらに、充填スイッチ１１のオン／オフ操作信号は水素貯蔵システムの制御機にも入力され、タンク圧力検出部１３の検出信号は基本的に水素貯蔵システムの制御機に入力されるが、水素タンクの圧力状態が車両の作動にも関与するため、タンク圧力検出部１３により検出された水素タンクの圧力情報が燃料電池システムの制御機にも伝達されるようにする。
この際、燃料電池システムの制御機は、水素タンクの圧力情報に基づいて後述するように車両の水素タンクで基準値を超える圧力変化が発生したと認知した場合に車両の作動をオフする。
【００２１】
また、車速検出部１２の検出信号は、基本的に燃料電池システムの制御機に入力され、それと共に水素貯蔵システムの制御機に車速検出部１２の車速信号が直接入力されるか、燃料電池システムの制御機から伝達されるように設定される。
また、水素貯蔵システムの制御機が通信手段２１により水素の充填を中断するための信号、すなわち充填中断信号を充填所側の制御機３０に伝送し、充填所側の制御機３０は通信手段３１により車両側から充填中断信号を受信した場合に車両に対する水素充填動作を中断する。
【００２２】
以下、本発明による燃料電池車両の充填のための安全制御過程について図２に基づいて説明する。
先ず、車両の水素タンクに水素を充填するために運転者が充填スイッチ１１を押してオン（ｏｎ）すると、制御機（燃料電池システムの制御機及び水素貯蔵システムの制御機）が充填スイッチ１１のオン操作信号の入力を受信する。
次に、充填スイッチ１１がオン操作されたと認知した状態で制御機（燃料電池システムの制御機）は現在車両が停車状態である場合、すなわち車速検出部の検出信号が入力されて車速が０であると確認した場合、車両の作動がオフ状態でなければオフする（Ｓ１１、Ｓ１２、Ｓ１６）。
【００２３】
反面、充填スイッチ１１のオフ状態、すなわち運転者が充填スイッチ１１をオンしていない場合で、かつ車速が０であれば（車両の停車状態）、運転者が水素の充填を試みても充填が行われないように車両の制御機２０（水素貯蔵システムの制御機）が通信手段２１を介して充填中断信号を充填所側の制御機３０に伝送する（Ｓ１１、Ｓ１３、Ｓ１４）。
充填所側の制御機３０は、車両に対する水素の充填が行われないようにするが、結局、本発明の充填のための安全制御システムは、運転者が水素の充填を試みても充填スイッチ１１のオン操作が行われていない状態であれば、水素の充填を不可能にして車両の安全を図ることができる。
【００２４】
また、水素充填操作を行った状態で、車両側の制御機２０と充填所側の制御機３０との間の通信異常や通信不能などにより車両側の制御機２０から充填中断信号が正常に充填所側の制御機３０に伝達されない場合、または充填所側の制御機３０の故障などが発生した場合は車両への水素の充填が非正常的に行われる。
この場合、水素の充填により車両の水素タンク内の圧力が上昇するが、この際、車両側の制御機２０はタンク圧力検出部１３の信号から水素タンクで基準値（例えば、５ＭＰａ）を超える圧力変化が発生したと感知した場合、非正常的な水素の充填が行われていると判断して車両の作動を自動でオフする（Ｓ１５、Ｓ１６）。
したがって、本発明では非正常的な水素の充填が行われても作動をオフすることにより車両の安全を図ることができる。
【００２５】
表１に上述した内容を整理し、充填前の作動制御を含む車両側の制御状態を示した。
【表１】
2014073067.tif 000003
一方、充填が行われた後、運転者が充填スイッチ１１をオフして運転者の始動キー操作（車両始動操作）による再始動が可能となり（Ｓ１７、Ｓ１８）、もし充填スイッチ１１のオフ操作が行われない状態、すなわち充填スイッチ１１のオン操作状態が維持される場合は車両の作動を禁止する（Ｓ１９）。
【００２６】
表２に充填後の車両の作動の制御を示し、充填スイッチ１１をオフして再始動が可能となることを示している。
【表２】
2014073067.tif 000004
本発明では、水素の充填時に操作する別途の充填スイッチを車両に設置することにより、運転者がこれを操作する場合にだけ水素の充填が行われるようにすると共に車両の作動を自動でオフするため、さらに安全な水素の充填が行われる。
また、運転者が充填スイッチを操作しない場合は、水素の充填が行われないようにし、さらに充填スイッチを操作しない状態で非正常的な水素の充填が行われても車両の作動を自動でオフするため、車両の安全を図ることができる。
【００２７】
以上、本発明に関する好ましい実施例を説明したが、本発明の範囲は特定の実施例に限定されるものではなく、特許請求の範囲によって解釈されなければならない。また、この技術分野で通常の知識を有する者なら、本発明の技術的範囲内で多くの修正と変形ができることはいうまでもない。
【符号の説明】
【００２８】
１１  充填スイッチ
１２  車速検出部
１３  タンク圧力検出部
２０  制御機（車両側）
２１  通信手段（車両側）
３０  制御機（充填所側）
３１  通信手段（充填所側）
【図１】
2014073067.tif 000005
【図２】
2014073067.tif 000006